(57)【特許請求の範囲】
【請求項１】
信号光と参照光との干渉パターンをページデータとして角度多重により光情報記録媒体に記録し、前記光情報記録媒体から情報を再生する光情報記録再生装置であって、
光を出射する光源部と、
前記光を参照光と信号光に分離する光学分離部と、
前記参照光の前記光情報記録媒体に入射する角度多重方向の角度を制御する角度制御部と、
前記参照光により再生された再生像を検出する光検出部と、
前記参照光と前記光情報記録媒体との位置関係を制御する位置制御部と、を備え、
ページデータの集合をブックとして、記録時には隣接するブックでは少なくともブック内の一部のページデータを前記角度制御部により前記参照光の角度多重方向の入射角度をずらして記録し、
再生時には前記光検出部を用いて再生像の少なくとも一部の光量を検出し、検出した光量の情報を基にブックの位置を検出することを特徴とする光情報記録再生装置。
【請求項２】
隣接ブックにおける記録時の前記参照光の角度多重方向の入射角度のずれはページデータの角度間隔の略１／n（n：整数）であることを特徴とする請求項１に記載の光情報記録再生装置。
【請求項３】
隣接ブックにおける記録時の前記参照光の角度多重方向の入射角度のずれはページデータの角度間隔の略１／２であることを特徴とする請求項２に記載の光情報記録再生装置。
【請求項４】
隣接ブックにおける記録時の前記参照光の角度多重方向の入射角度のずれはページデータの角度間隔の略１／４であることを特徴とする請求項２に記載の光情報記録再生装置。
【請求項５】
前記光情報記録媒体に入射する前記参照光を角度多重方向に対して垂直な方向に制御する角度制御部を備え、
再生時には前記光情報記録媒体に入射する前記参照光を角度多重方向に対して垂直な方向に傾けて再生を行うことを特徴とする請求項１に記載の光情報記録再生装置。
【請求項６】
前記光検出部で検出された光量の最大値または最小値に基づいてブックの位置を検出することを特徴とする請求項３に記載の光情報記録再生装置。
【請求項７】
前記光検出部で検出された異なるブックで検出された光量の差に対応する情報に基づいてブックの位置を検出することを特徴とする請求項４に記載の光情報記録再生装置。
【請求項８】
信号光と参照光との干渉パターンがページデータとして角度多重により記録されている光情報記録媒体から情報を再生する光情報記録再生装置における光情報記録再生方法において、
ページデータの集合をブックとして、隣接ブックでは少なくともブック中の一部のページデータでは前記光情報記録媒体に照射する参照光の角度多重方向の角度をずらして記録する記録工程と、
前記光情報記録媒体から再生された再生光の光量を検出する光量検出工程と、
前記検出した光量の情報を基にブックの位置を検出する位置検出工程と、を含むことを特徴とする光情報記録再生方法。
【請求項９】
前記記録工程において隣接ブックにおける前記光情報記録媒体に照射する参照光の角度多重方向の角度のずれの量を略１／n（n：整数）としてページデータを記録することを特徴とする請求項８に記載の光情報記録再生方法。
【請求項１０】
前記記録工程において隣接ブックにおける前記光情報記録媒体に照射する参照光の角度多重方向の角度のずれの量を略１／２としてページデータを記録することを特徴とする請求項９に記載の光情報記録再生方法。
【請求項１１】
前記記録工程において隣接ブックにおける前記光情報記録媒体に照射する参照光の角度多重方向の角度のずれの量を略１／４としてページデータを記録することを特徴とする請求項９に記載の光情報記録再生方法。
【請求項１２】
前記光量検出工程において前記光情報記録媒体に入射する前記参照光を角度多重方向に対して垂直な方向に傾けて再生することを特徴とする請求項８に記載の光情報記録再生方法。
【請求項１３】
前記光量検出工程で検出された光量の最大値または最小値に基づいてブックの位置を検出することを特徴とする請求項１０に記載の光情報記録再生方法。
【請求項１４】
前記光量検出工程で検出された異なるブックで検出された光量の差に対応する情報に基づいてブックの位置を検出することを特徴とする請求項１１に記載の光情報記録再生方法。
【請求項１５】
信号光と参照光との干渉パターンをページデータとして角度多重により情報が記録されている光情報記録媒体から情報を再生する光情報再生装置であって、
光を出射する光源部と、
前記光から参照光を生成する参照光生成部と、
前記参照光の前記光情報記録媒体に入射する角度多重方向の角度を制御する角度制御部と、
前記参照光により再生された再生像を検出する光検出部と、
前記参照光と前記光情報記録媒体との位置関係を制御する位置制御部と、を備え、
前記光情報記録媒体には、隣接するブックでは少なくともブック内の一部のページデータを前記角度制御部により前記参照光の角度多重方向の入射角度をずらして情報が記録されており、  前記光検出部を用いて再生像の少なくとも一部の光量を検出し、該検出した光量の情報に基づいてブックの位置を検出することを特徴とすることを特徴とする光情報再生装置。
【請求項１６】
隣接ブックにおける記録時の前記参照光の角度多重方向の入射角度のずれはページデータの角度間隔の１／n（n：整数）であることを特徴とする請求項１５に記載の光情報再生装置。
【請求項１７】
隣接ブックにおける記録時の前記参照光の角度多重方向の入射角度のずれはページデータの角度間隔の略１／２であることを特徴とする請求項１６に記載の光情報再生装置。
【請求項１８】
隣接ブックにおける記録時の前記参照光の角度多重方向の入射角度のずれはページデータの角度間隔の略１／４であることを特徴とする請求項１６に記載の光情報再生装置。
【発明の詳細な説明】
【技術分野】
【０００１】
本発明は、ホログラフィを用いて、光情報記録媒体から情報を記録または再生する、装置及び方法に関する。
【背景技術】
【０００２】
現在、青紫色半導体レーザを用いた、Ｂｌｕ−ｒａｙ  Ｄｉｓｃ（ＴＭ）規格により、民生用においても５０ＧＢ程度の記録密度を持つ光ディスクの商品化が可能となってきた。今後は、光ディスクでも１００ＧＢ〜１ＴＢというＨＤＤ（Ｈａｒｄ  Ｄｉｓｋ  Ｄｒｉｖｅ）容量と同程度まで大容量化が望まれる。【０００３】
しかしながら、このような超高密度を光ディスクで実現するためには、短波長化と対物レンズ高ＮＡ化による高密度化技術とは異なる新しい方式による高密度化技術が必要である。【０００４】
次世代のストレージ技術に関する研究が行われる中、ホログラフィを利用してデジタル情報を記録するホログラム記録技術が注目を集めている。【０００５】
ホログラム記録技術とは、空間光変調器により２次元的に変調されたページデータの情報を有する信号光を、記録媒体の内部で参照光と重ね合わせ、その時に生じる干渉縞パターンによって記録媒体内に屈折率変調を生じさせることで情報を記録媒体に記録する技術である。【０００６】
情報の再生時には、記録時に用いた参照光を記録媒体に照射すると、記録媒体中に記録されているホログラムが回折格子のように作用して回折光を生じる。この回折光が記録した信号光と位相情報を含めて同一の光として再生される。【０００７】
再生された信号光は、ＣＭＯＳやＣＣＤなどの光検出器を用いて２次元的に高速に検出される。このようにホログラム記録技術は、１つのホログラムによって２次元的な情報を一気に光記録媒体に記録し、さらにこの情報を再生することを可能とするものであり、そして、記録媒体のある場所に複数のページデータを重ね書きすることができるため、大容量かつ高速な情報の記録再生を果たすことができる。【０００８】
ホログラム記録技術として、例えば特開２００４−２７２２６８号公報（特許文献１）がある。本公報にはホログラムを多重して記録する技術について記載されている。
【先行技術文献】
【特許文献】
【０００９】
【特許文献１】特開２００４−２７２２６８号公報
【発明の概要】
【発明が解決しようとする課題】
【００１０】
ところで、角度多重方式のホログラフィを利用した記録再生装置においては、記録された目的のホログラムにアクセスするためには目的のホログラム周辺に位置付けを行った後、ホログラムの信号品質を確認しながら位置の微調整を行うため、アクセスに時間がかかるといった課題があった。
【課題を解決するための手段】
【００１１】
上記課題は、例えば請求項の範囲に記載の発明により解決される。
【発明の効果】
【００１２】
本発明によれば、記録された目的のホログラムに高速にアクセスすることが可能となり、使い勝手のよい光情報記録再生装置を提供することができる。
【図面の簡単な説明】
【００１３】
【図１】ブックごとのページ記録角度と再生光量の関係を表す概略図
【図２】光情報記録再生装置の実施例を表す概略図
【図３】光情報記録再生装置内のピックアップの実施例を表す概略図
【図４】光情報記録再生装置内のピックアップの実施例を表す概略図
【図５】光情報記録再生装置内のピックアップの実施例を表す概略図
【図６】光情報記録再生装置の動作フローの実施例を表す概略図
【図７】光情報記録再生装置内の信号生成回路の実施例を表す概略図
【図８】光情報記録再生装置内の信号処理回路の実施例を表す概略図
【図９】信号生成回路及び信号処理回路の動作フローの実施例を表す概略図
【図１０】反射層を有する光情報記録媒体の層構造の実施例を示す概略図
【図１１】光情報記録媒体へのブックの配置方法を示す図
【図１２】目標とするブック位置へ再生光量の情報を基に位置付けを行うフローを示す図
【図１３】ブックごとのページ記録角度と再生光量の関係を表す概略図
【図１４】ブックごとのページ記録角度と再生光量の関係を表す概略図
【図１５】目標とするブック位置へ再生光量の情報を基に位置付けを行うフローを示す図
【図１６】光情報記録再生装置内のピックアップの実施例を表す概略図
【図１７】角度多重方向と角度多重と垂直な方向を示す図
【図１８】多重記録した箇所での参照光の角度ずれの有無と再生像との関係を示す図
【図１９】ブックごとのページ記録角度と再生図の関係を表す概略図
【図２０】目標とするブック位置へ再生光量の情報を基に位置付けを行うフローを示す図
【図２１】再生像の明部と暗部を検出する方法を表す概略図
【図２２】目標とするブック位置へ再生光量の情報を基に位置付けを行うフローを示す図
【図２３】ブックごとのページ記録角度と再生光量の関係を表す概略図
【発明を実施するための形態】
【００１４】
以下、本発明の実施例について図面を用いて説明する。
【実施例１】
【００１５】
本発明の第１の実施例を添付図面にしたがって説明する。図２はホログラフィを利用してデジタル情報を記録および／または再生する光情報記録媒体の記録再生装置を示すブロック図である。【００１６】
光情報記録再生装置１０は、入出力制御回路９０を介して外部制御装置９１と接続されている。記録する場合には、光情報記録再生装置１０は外部制御装置９１から記録する情報信号を入出力制御回路９０により受信する。再生する場合には、光情報記録再生装置１０は再生した情報信号を入出力制御回路９０により外部制御装置９１に送信する。【００１７】
光情報記録再生装置１０は、ピックアップ１１、再生用参照光光学系１２、キュア光学系１３、ディスク回転角度検出用光学系１４、及び回転モータ５０を備えており、光情報記録媒体１は回転モータ５０によって回転可能な構成となっている。【００１８】
ピックアップ１１は、参照光と信号光を光情報記録媒体１に出射してホログラフィを利用してデジタル情報を記録媒体に記録する役割を果たす。この際、記録する情報信号はコントローラ８９によって信号生成回路８６を介してピックアップ１１内の空間光変調器に送り込まれ、信号光は空間光変調器によって変調される。【００１９】
光情報記録媒体１に記録した情報を再生する場合は、ピックアップ１１から出射された参照光を記録時とは逆の向きに光情報記録媒体に入射させる光波を再生用参照光光学系１２にて生成する。再生用参照光によって再生される再生光をピックアップ１１内の後述する光検出器によって検出し、信号処理回路８５によって信号を再生する。【００２０】
光情報記録媒体１に照射する参照光と信号光の照射時間は、ピックアップ１１内のシャッタの開閉時間をコントローラ８９によってシャッタ制御回路８７を介して制御することで調整できる。【００２１】
キュア光学系１３は、光情報記録媒体１のプリキュアおよびポストキュアに用いる光ビームを生成する役割を果たす。プリキュアとは、光情報記録媒体１内の所望の位置に情報を記録する際、所望位置に参照光と信号光を照射する前に予め所定の光ビームを照射する前工程である。ポストキュアとは、光情報記録媒体１内の所望の位置に情報を記録した後、該所望の位置に追記不可能とするために所定の光ビームを照射する後工程である。【００２２】
ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御する事が出来る。【００２３】
光源駆動回路８２からは所定の光源駆動電流がピックアップ１１、キュア光学系１３、ディスク回転角度検出用光学系１４内の光源に供給され、各々の光源からは所定の光量で光ビームを発光することができる。【００２４】
また、ピックアップ１１、そして、ディスクキュア光学系１３は、光情報記録媒体１の半径方向に位置をスライドできる機構が設けられており、アクセス制御回路８１を介して位置制御がおこなわれる。【００２５】
ところで、ホログラフィの角度多重の原理を利用した記録技術は、参照光角度のずれに対する許容誤差が極めて小さくなる傾向がある。【００２６】
従って、ピックアップ１１内に、参照光角度のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えることが必要となる。【００２７】
また、ピックアップ１１、キュア光学系１３、ディスク回転角度検出用光学系１４は、いくつかの光学系構成または全ての光学系構成をひとつに纏めて簡素化しても構わない。【００２８】
図３は、光情報記録再生装置１０におけるピックアップ１１の基本的な光学系構成の一例における記録原理を示したものである。光源３０１を出射した光ビームはコリメートレンズ３０２を透過し、シャッタ３０３に入射する。シャッタ３０３が開いている時は、光ビームはシャッタ３０３を通過した後、例えば２分の１波長板などで構成される光学素子３０４によってｐ偏光とｓ偏光の光量比が所望の比になるようになど偏光方向が制御された後、ＰＢＳ（Ｐｏｌａｒｉｚａｔｉｏｎ  Ｂｅａｍ  Ｓｐｌｉｔｔｅｒ）プリズム３０５に入射する。【００２９】
ＰＢＳプリズム３０５を透過した光ビームは、信号光３０６として働き、ビームエキスパンダ３０８によって光ビーム径が拡大された後、位相マスク３０９、リレーレンズ３１０、ＰＢＳプリズム３１１を透過して空間光変調器３１２に入射する。【００３０】
空間光変調器３１２によって情報が付加された信号光は、ＰＢＳプリズム３１１を反射し、リレーレンズ３１３ならびに空間フィルタ３１４を伝播する。その後、信号光は対物レンズ３１５によって光情報記録媒体１に集光する。【００３１】
一方、ＰＢＳプリズム３０５を反射した光ビームは参照光３０７として働き、偏光方向変換素子３１６によって記録時または再生時に応じて所定の偏光方向に設定された後、ミラー３１７ならびにミラー３１８を経由し、ガルバノミラー３１９に入射する。ガルバノミラー３１９はアクチュエータ３２０によって角度を調整可能のため、レンズ３２１とレンズ３２２を通過した後に光情報記録媒体１に入射する参照光の入射角度を、所望の角度に設定することができる。なお、参照光の入射角度を設定するために、ガルバノミラーに代えて、参照光の波面を変換する素子を用いても構わない。【００３２】
このように信号光と参照光とを光情報記録媒体１において、互いに重ね合うように入射させることで、記録媒体内には干渉縞パターンが形成され、このパターンを記録媒体に書き込むことで情報を記録する。また、ガルバノミラー３１９によって光情報記録媒体１に入射する参照光の入射角度を変化させることができるため、角度多重による記録が可能である。【００３３】
以降、同じ領域に参照光角度を変えて記録されたホログラムにおいて、１つ１つの参照光角度に対応したホログラムをページと呼び、同領域に角度多重されたページの集合をブックと呼ぶことにする。【００３４】
図４は、光情報記録再生装置１０におけるピックアップ１１の基本的な光学系構成の一例における再生原理を示したものである。記録した情報を再生する場合は、前述したように参照光を光情報記録媒体１に入射し、光情報記録媒体１を透過した光ビームを、アクチュエータ３２３によって角度調整可能なガルバノミラー３２４にて反射させることで、その再生用参照光を生成する。【００３５】
この再生用参照光によって再生された再生光は、対物レンズ３１５、リレーレンズ３１３ならびに空間フィルタ３１４を伝播する。その後、再生光はＰＢＳプリズム３１１を透過して光検出器３２５に入射し、記録した信号を再生することができる。光検出器３２５としては例えばＣＭＯＳイメージセンサーやＣＣＤイメージセンサーなどの撮像素子を用いることができるが、ページデータを再生可能であれば、どのような素子であっても構わない。【００３６】
図９は、記録、再生時のデータ処理フローを示したものであり、図９（ａ）は、入出力制御回路９０において記録データ受信６１１後、空間光変調器３１２上の２次元データに変換するまでの信号生成回路８６での記録データ処理フローを示しており、図９（ｂ）は光検出器３２５で２次元データを検出後、入出力制御回路９０における再生データ送信６２４までの信号処理回路８５での再生データ処理フローを示している。【００３７】
図９（ａ）を用いて記録時のデータ処理について説明する。ユーザデータを受信（９０１）すると、複数のデータ列に分割、再生時エラー検出が行えるように各データ列をＣＲＣ化（９０２）し、オンピクセル数とオフピクセル数をほぼ等しくし、同一パターンの繰り返しを防ぐことを目的にデータ列に擬似乱数データ列を加えるスクランブル（９０３）を施した後、再生時エラー訂正が行えるようにリード・ソロモン符号等の誤り訂正符号化（９０４）を行う。次にこのデータ列をＭ×Ｎの２次元データに変換し、それを１ページデータ分繰返すことで１ページ分の２次元データ（９０５）を構成する。このように構成した２次元データに対して再生時の画像位置検出や画像歪補正での基準となるマーカーを付加（９０６）し、空間光変調器３１２にデータを転送（９０７）する。【００３８】
次に図９（ｂ）を用いて再生時のデータ処理フローについて説明する。光検出器３２５で検出された画像データが信号処理回路８５に転送（９１１）される。この画像データに含まれるマーカーを基準に画像位置を検出（９１２）し、画像の傾き・倍率・ディストーションなどの歪みを補正（９１３）した後、２値化処理（９１４）を行い、マーカーを除去（９１５）することで１ページ分の２次元データを取得（９１６）する。このようにして得られた２次元データを複数のデータ列に変換した後、誤り訂正処理（９１７）を行い、パリティデータ列を取り除く。次にスクランブル解除処理（９１８）を施し、ＣＲＣによる誤り検出処理（９１９）を行ってＣＲＣパリティを削除した後にユーザデータを入出力制御回路９０経由で送信（９２０）する。【００３９】
図７は、光情報記録再生装置１０の信号生成回路８６のブロック図である。【００４０】
入出力制御回路９０にユーザデータの入力が開始されると、入出力制御回路９０はコントローラ８９にユーザデータの入力が開始されたことを通知する。コントローラ８９は本通知を受け、信号生成回路８６に入出力制御回路９０から入力される１ページ分のデータを記録処理するよう命ずる。コントローラ８９からの処理命令は制御用ライン７０８を経由し、信号生成回路８６内サブコントローラ７０１に通知される。本通知を受け、サブコントローラ７０１は各信号処理回路を並列に動作させるよう制御用ライン７０８を介して各信号処理回路の制御を行う。先ずメモリ制御回路７０３に、データライン７０９を介して入出力制御回路９０から入力されるユーザデータをメモリ７０２に格納するよう制御する。メモリ７０２に格納したユーザデータが、ある一定量に達すると、ＣＲＣ演算回路７０４でユーザデータをＣＲＣ化する制御を行う。次にＣＲＣ化したデータに、スクランブル回路７０５で擬似乱数データ列を加えるスクランブル化を施し、誤り訂正符号化回路７０６でパリティデータ列を加える誤り訂正符号化する制御を行う。最後にピックアップインターフェース回路７０７にメモリ７０２から誤り訂正符号化したデータを空間光変調器３１２上の２次元データの並び順で読み出させ、再生時に基準となるマーカーを付加した後、ピックアップ１１内の空間光変調器３１２に２次元データを転送する。【００４１】
図８は、光情報記録再生装置１０の信号処理回路８５のブロック図である。【００４２】
コントローラ８９はピックアップ１１内の光検出器３２５が画像データを検出すると、信号処理回路８５にピックアップ１１から入力される１ページ分のデータを再生処理するよう命ずる。コントローラ８９からの処理命令は制御用ライン８１１を経由し、信号処理回路８５内サブコントローラ８０１に通知される。本通知を受け、サブコントローラ８０１は各信号処理回路を並列に動作させるよう制御用ライン８１１を介して各信号処理回路の制御を行う。先ず、メモリ制御回路８０３に、データライン８１２を介して、ピックアップ１１からピックアップインターフェース回路８１０を経由して入力される画像データをメモリ８０２に格納するよう制御する。メモリ８０２に格納されたデータがある一定量に達すると、画像位置検出回路８０９でメモリ８０２に格納された画像データ内からマーカーを検出して有効データ範囲を抽出する制御を行う。次に検出されたマーカーを用いて画像歪み補正回路８０８で、画像の傾き・倍率・ディストーションなどの歪み補正を行い、画像データを期待される２次元データのサイズに変換する制御する。サイズ変換された２次元データを構成する複数ビットの各ビットデータを、２値化回路８０７において“０”、“１”判定する２値化し、メモリ８０２上に再生データの出力の並びでデータを格納する制御を行う。次に誤り訂正回路８０６で各データ列に含まれる誤りを訂正し、スクランブル解除回路８０５で擬似乱数データ列を加えるスクランブルを解除した後、ＣＲＣ演算回路８０４でメモリ８０２上のユーザデータ内に誤りが含まれない確認を行う。その後、入出力制御回路９０にメモリ８０２からユーザデータを転送する。【００４３】
図１は各ブックにおける参照光記録角度、および再生時の各ブック位置における再生光量を模式的に示す図である。【００４４】
図１（ａ）は隣接しているブックにおいて、各ページが同一の参照光角度で記録されている場合の例である。図１（ａ）の上図はブックの位置とページが記録されている参照光の角度との関係を示す図であり、隣接しているブックにおいて、各ページが同一の参照光角度で記録されていることを示す。ここで、光情報記録媒体１のフーリエ面において、ホログラムの大きさは空間フィルタ３１４で規定されるが、隣接するブックがほぼこのホログラムの大きさの間隔で敷き詰められて記録されているものとする。再生時の参照光角度が図１（ａ）の上図におけるＡで示すように、ページ記録されている角度にある場合、図１（ａ）の下図におけるＡで示すように、再生光量はほぼ一定のレベルで検出される。再生時の参照光角度が図１（ａ）の上図におけるＢで示すように、ページ記録されている角度の中間にある場合にも、図１（ａ）の下図におけるＢで示すように、再生光量はほぼ一定のレベルで検出される。したがって、図１（ａ）のような記録の場合、再生光量は常に一定となってしまうため、再生光量の情報を基にブック位置を検出することは難しい。【００４５】
図１（ｂ）は隣接しているブックにおいて、各ページが異なる参照光角度で記録されている場合の例であり、特に各ページが半周期ずれている場合を示す。図１（ｂ）の上図はブックの位置とページが記録されている参照光の角度との関係を示す図であり、隣接しているブックにおいて、各ページが半周期ずれた参照光角度で記録されていることを示す。再生時の参照光角度が図１（ｂ）の上図におけるＡで示すように、奇数の番号で表されるブックのページ記録されている角度にある場合、図１（ｂ）の下図におけるＡで示すように、再生光量は奇数の番号で表されるブックの中央でピークとなる。これは、奇数の番号のブックでは光量が得られ、偶数の番号のブックでは光量が得られないためである。再生時の参照光角度が図１（ｂ）の上図におけるＢで示すように、偶数の番号で表されるブックのページ記録されている角度にある場合、図１（ｂ）の下図におけるＢで示すように、再生光量は偶数の番号で表されるブックの中央でピークとなる。したがって、図１（ｂ）のような記録の場合、２ブック毎に再生光量のピークが得られるため、再生光量の情報を基にブック位置を検出することが可能となる。【００４６】
なお、再生時の参照光角度が奇数もしくは偶数の番号で表されるブックのページ記録されている角度にある場合について説明を行ったが、これは再生光量の振幅を大きく取るためであり、必ずしも参照光角度がページ記録されている角度と一致していなくても再生光量の振幅が得られれば、再生光量の情報を基にブック位置を検出することは可能である。【００４７】
図１１は光情報記録媒体へのブックの配置方法の例を示す図である。図１１（ａ）は円形の光情報記録媒体の例である。図１１（ａ）の拡大図は光情報記録媒体のフーリエ面におけるブックの配置例を示す。ブックは同心円状に配置されているものとすると、半径位置が変わるとブックの位置にずれが生じる。そこで、光情報記録媒体の所定の角度を基準角度とし、基準角度では必ずブックの中心がくるように配置されているものとする。図１１（ｂ）は矩形の光情報記録媒体の例である。図１１（ｂ）の拡大図は光情報記録媒体のフーリエ面におけるブックの配置例を示す。この場合にはブックの位置にずれは生じないため、ブックを格子状に配置することができる。以降では、図１１（ａ）の円形の光情報記録媒体の例を前提として説明する。【００４８】
図１２は目標のブックへの位置付けを行うフローを示す図である。【００４９】
まず、ディスク回転モータ制御回路８８を制御して回転モータ５０を駆動し、光情報記録媒体１の回転角度が基準角度となるように制御する（１２０１）。また、参照光角度を図１における奇数の番号のブックもしくは偶数の番号のブックのいずれかのブックのページが記録されている角度に制御する（１２０２）。【００５０】
次に目標となるアドレス情報から目標とするブックの光情報記録媒体における半径位置と回転角度を計算する。（１２０３）。計算した半径位置の情報を基に、アクセス制御回路８１を制御してピックアップ１１を光情報記録媒体１の半径方向に駆動するとともに、参照光を光情報記録媒体１に照射しながら再生光量を光検出器３２５で連続的に検出する（１２０４）。前述した通り、再生光量は２ブック毎にピークが得られるため、ピークの数をカウントしながら目標の半径位置近傍までアクセスしても良いし、半径方向の位置を検出するためのリニアエンコーダの情報を基に目標の半径位置近傍までアクセスしても良い。目標の半径位置近傍までアクセスした後、当該のブックで再生光量が最大となると計算された場合には再生光量が最大となるように、当該のブックで再生光量が最小となると計算された場合には再生光量が最小となるように半径位置の制御を行う。【００５１】
次に１２０３で計算した回転角度の情報を基に、ディスク回転モータ制御回路８８を制御して回転モータ５０を駆動するとともに、参照光を光情報記録媒体１に照射しながら再生光量を光検出器３２５で連続的に検出する（１２０５）。前述の半径位置制御と同様、再生光量は２ブック毎にピークが得られるため、ピークの数をカウントしながら目標の回転角度近傍までアクセスしても良いし、回転角度を検出するためのリニアエンコーダの情報を基に目標の回転角度近傍までアクセスしても良い。目標の回転角度近傍までアクセスした後、当該のブックで再生光量が最大となると計算された場合には再生光量が最大となるように、当該のブックで再生光量が最小となると計算された場合には再生光量が最小となるように回転角度の制御を行う。【００５２】
次にページデータを再生し、ヘッダ情報等からアドレスを確認する（１２０６）。アドレス情報から目標とするブックに位置付けができていることが確認できれば、ブックへのアクセスを終了し、目標とするブックに位置付けてきていなければ、再度１２０３の処理に戻り、ブックの位置付けを行う。【００５３】
なお、１２０６でページデータを再生した際に、ページの信号品質が悪い場合には、信号品質が高くなるようにブック位置の微調整を行っても構わない。【００５４】
なお、光情報記録媒体１は円形であり、同心円状に記録されているものとして説明を行ったが、本発明はこれに限定されるものではなく、螺旋状に記録されていても構わないし、光情報記録媒体が例えば矩形であっても構わない。いずれの場合でも、光情報記録媒体の形状とブック配置に適した走査を行うことにより、ブックへの位置付けが可能である。【００５５】
なお、隣接のブックで参照光角度をずらす場合、ブック中の全てのページで角度をずらしても構わないし、一部のページで角度をずらしても構わない。例えば、図２３に示すようにブック内の所定の角度ではページの角度をずらし、それ以外ではページの角度をそろえた記録としても構わない。この場合、ページの角度がずれて記録されている参照光角度に設定すれば、ブックの位置付けを行うことが可能である。ページの角度をそろえて記録している部分については、ページの角度のずれ量を半周期とは異なる周期とすることで、別の機能を持たせることも可能である。【００５６】
なお、ブックの位置を検出するための再生光量は、ページ全体の光量を用いても構わないし、ページの一部の光量を用いても構わない。【００５７】
なお、ブックの位置を検出するための再生光量を検出するために光検出器３２５を用いた例を示したが、別途再生光を分割する光学素子と再生光を集光するためのレンズと光検出器を設けて検出しても構わない。光検出器としてフォトディテクター等を用いることで高速な検出が可能となる。【００５８】
図６は、光情報記録再生装置１０における記録、再生の動作フローを示したものである。ここでは、特にホログラフィを利用した記録再生に関するフローを説明する。【００５９】
図６（ａ）は、光情報記録再生装置１０に光情報記録媒体１を挿入した後、記録または再生の準備が完了するまでの動作フローを示し、図６（ｂ）は準備完了状態から光情報記録媒体１に情報を記録するまでの動作フロー、図６（ｃ）は準備完了状態から光情報記録媒体１に記録した情報を再生するまでの動作フローを示したものである。【００６０】
図６（ａ）に示すように媒体を挿入すると（６０１）、光情報記録再生装置１０は、例えば挿入された媒体がホログラフィを利用してデジタル情報を記録または再生する媒体であるかどうかディスク判別を行う（６０２）。【００６１】
ディスク判別の結果、ホログラフィを利用してデジタル情報を記録または再生する光情報記録媒体であると判断されると、光情報記録再生装置１０は光情報記録媒体に設けられたコントロールデータを読み出し（６０３）、例えば光情報記録媒体に関する情報や、例えば記録や再生時における各種設定条件に関する情報を取得する。【００６２】
コントロールデータの読み出し後は、コントロールデータに応じた各種調整やピックアップ１１に関わる学習処理（６０４）を行い、光情報記録再生装置１０は、記録または再生の準備が完了する（６０５）。【００６３】
準備完了状態から情報を記録するまでの動作フローは図６（ｂ）に示すように、まず記録するデータを受信して（６１１）、該データに応じた情報をピックアップ１１内の空間光変調器３１２に送り込む。【００６４】
その後、光情報記録媒体に高品質の情報を記録できるように、必要に応じて例えば光源３０１のパワー最適化やシャッタ３０３による露光時間の最適化等の各種記録用学習処理を事前に行う（６１２）。【００６５】
その後、シーク動作（６１３）ではアクセス制御回路８１を制御して、ピックアップ１１ならびにキュア光学系１３の位置を光情報記録媒体の所定の位置に位置付けする。ここで目的のブックには前述した方法で位置付けを行うことができる。【００６６】
その後、キュア光学系１３から出射する光ビームを用いて所定の領域をプリキュアし（６１４）、ピックアップ１１から出射する参照光と信号光を用いてデータを記録する（６１５）。ここで、記録時には隣接するブック間で各ページが半周期ずれるように記録する。【００６７】
データを記録した後は、キュア光学系１３から出射する光ビームを用いてポストキュアを行う（６１６）。必要に応じてデータをベリファイしても構わない。【００６８】
準備完了状態から記録された情報を再生するまでの動作フローは図６（ｃ）に示すように、まずシーク動作（６２１）で、アクセス制御回路８１を制御して、ピックアップ１１ならびに再生用参照光光学系１２の位置を光情報記録媒体の所定の位置に位置付けする。ここで目的のブックには前述した方法で位置付けを行うことができる。【００６９】
その後、ピックアップ１１から参照光を出射し、光情報記録媒体に記録された情報を読み出し（６２２）、再生データを送信する（６２３）。【００７０】
従来、角度多重方式のホログラフィを利用した光情報記録再生装置においては、光情報記録媒体を再生する場合に、光情報記録媒体の所定のブックに位置付けするためには、おおよその位置付けを行った後に、信号の品質を判断しながらブック位置の微調整をする必要があり、位置付けが完了するまでに時間がかかるという課題があった。特に、光情報記録媒体を光情報記録再生装置に取り付けた際のチャッキングのずれ等による偏芯が大きい場合や、装置間の互換性の問題でブックの記録位置が適切でない場合には、おおよその位置付けをした段階ではブックの中央位置からのずれが大きく、微調整に時間を要していた。しかしながら、以上の第１の実施例によれば、再生光量を用いることで高速にブックの位置付けができるため、使い勝手の良い光情報記録再生装置を提供することができる。
【実施例２】
【００７１】
本発明の第２の実施例を添付図面にしたがって説明する。光情報記録再生装置とピックアップの構成は第１の実施例と同様であるため説明を省略する。【００７２】
図１３は隣接しているブックにおいて、各ページが１／４周期ずつ異なる参照光角度で記録されている場合の例である。図１３の上図はブックの位置とページが記録されている参照光の角度との関係を示す図であり、隣接しているブックにおいて、各ページが１／４周期ずれた参照光角度で記録されていることを示す。再生時の参照光角度が図１３の上図におけるＡで示すように、１ブック目と５ブック目のページ記録されている角度にある場合、図１３の中央の図におけるＡで示すように、再生光量は４ブック毎にブックの中央でピークとなる。これは、４ブック毎に参照光角度がページの記録角度と一致し再生光量が最大となるためである。同様に再生時の参照光角度が図１３の上図におけるＢ、Ｃ、Ｄのように、２ブック目、３ブック目、４ブック目のページ記録されている角度にある場合には、それぞれのブック位置の中央で再生光量が最大となり、４ブック毎にブックの中央でピークとなる。ここで例えば、再生光量のＡから再生光量のＣを減算した信号を生成すれば、図１３の下図のように、２ブック目および４ブック目の中央で信号レベルが０となるようなエラー信号を生成することができる。したがって、生成したエラー信号を基にフィードバック制御を行うことで、ブックの位置付けを行うことができる。【００７３】
図１４は２つの参照光角度での再生光量を得るための方法を示す図である。本実施例では２つの参照光角度の情報が必要となるため、例えば図１４の上図に示すように、参照光角度Ａと参照光角度Ｃに交互に参照光角度を切り替え、再生光量を測定すると、図１４の中央の図のように、離散的な再生光量ＡとＣが得られる。エラー信号を生成するためには一つ前の測定点を利用することになるため、現在位置での再生光量とずれが生じるが、ブック位置の移動に対して十分高速に参照光角度を切り替えて測定を行うことにより、このずれは小さくすることができる。【００７４】
なお、エラー信号の生成の例として再生光量のＡから再生光量のＣを減算する方法を用いて説明を行ったが、再生光量のＣから再生光量のＡを減算した場合、再生光量のＢから再生光量のＤを減算した場合、再生光量のＤから再生光量のＢを減算した場合のいずれの場合でもエラー信号を生成しブックの位置付けを行うことができる。【００７５】
図１５は目標のブックへの位置付けを行うフローを示す図である。【００７６】
まず、ディスク回転モータ制御回路８８を制御して回転モータ５０を駆動し、光情報記録媒体１の回転角度が基準角度となるように制御する（１５０１）。【００７７】
次に目標となるアドレス情報から目標とするブックの光情報記録媒体における半径位置と回転角度を計算する。（１５０２）。計算した半径位置の情報を基に、アクセス制御回路８１を制御してピックアップ１１を光情報記録媒体１の半径方向に駆動するとともに、参照光を図１４で説明した通り２つの参照光角度で交互に切り替えながら光情報記録媒体１に照射し、再生光量を光検出器３２５で検出する（１５０３）。このとき２つの参照光角度としては目標とする半径位置でエラー信号が０となるような２つの角度を予め計算して選べば良い。目標の半径位置近傍までアクセスした後、当該のブックでエラー信号が０となるように半径位置の制御を行う。【００７８】
次に１５０２で計算した回転角度の情報を基に、ディスク回転モータ制御回路８８を制御して回転モータ５０を駆動するとともに、参照光を図１４で説明した通り２つの参照光角度で交互に切り替えながら光情報記録媒体１に照射し、再生光量を光検出器３２５で検出する（１５０４）。このとき２つの参照光角度としては目標とする回転角度でエラー信号が０となるような２つの角度を予め計算して選べば良い。目標の回転角度近傍までアクセスした後、エラー信号が０となるように回転角度の制御を行う。【００７９】
次にページデータを再生し、ヘッダ情報等からアドレスを確認する（１５０５）。アドレス情報から目標とするブックに位置付けができていることが確認できれば、ブックへのアクセスを終了し、目標とするブックに位置付けてきていなければ、再度１５０２の処理に戻り、ブックの位置付けを行う。【００８０】
なお、１５０５でページデータを再生した際に、ページの信号品質が悪い場合には、信号品質が高くなるようにブック位置の微調整を行っても構わない。【００８１】
なお、光情報記録媒体１は円形であり、同心円状に記録されているものとして説明を行ったが、本発明はこれに限定されるものではなく、螺旋状に記録されていても構わないし、光情報記録媒体が例えば矩形であっても構わない。いずれの場合でも、光情報記録媒体の形状とブック配置に適した走査を行うことにより、ブックへの位置付けが可能である。【００８２】
以上の第２の実施例によれば、エラー信号を生成可能であり、フィードバック制御が容易であるため、高速にブックへの位置付けを行うことが可能であり、使い勝手の良い光情報記録再生装置を提供することができる。【００８３】
なお、上記実施例では、ページが１／２周期ずつ、または１／４周期ずつ異なる参照光角度で記録されている場合を説明したが、本発明は、これに限られず、１／n周期（n：整数）ずつ異なる参照光角度で記録されている場合であっても適用可能である。
【実施例３】
【００８４】
本発明の第３の実施例を添付図面にしたがって説明する。光情報記録再生装置の構成は第１の実施例と同様であるため説明を省略する。【００８５】
図１６は、光情報記録再生装置１０におけるピックアップ１１の基本的な光学系構成の一例を示したものである。図３の構成に角度制御素子３２６を追加した構成となっている。角度制御素子３２６はガルバノミラー３１９で制御する角度多重方向に対して垂直な方向に角度を制御可能な素子であり、例えば液晶素子により構成することができる。ただし、ガルバノミラーやデフォーマブルミラー等を用いて制御しても構わないし、再生用参照光光学系１２の中に同様の機構を持たせても構わない。図１７に角度制御素子３２６により制御する角度について示す。図１７は光情報記録媒体中で信号光と参照光が重なり合う様子を示しており、参照光と信号光とで構成される面内で参照光の角度をガルバノミラー３１９で制御することにより角度多重を行う。この角度多重方向に対して垂直な方向の角度を角度制御素子３２６で制御する。【００８６】
図１８は多重と垂直な方向の参照光角度ずれの有無と再生像との関係を示す図である。図１８は０．２度間隔で角度多重記録をしたブックの再生結果である。【００８７】
図１８（ａ）は多重と垂直な方向の角度のずれが無く、多重方向の角度ずれが無い場合の再生像の例である。再生像全体が明るくなっていることが分かる。図１８（ｂ）は多重と垂直な方向の角度のずれが無く、多重方向の角度ずれが０．１度有る場合の再生像の例である。再生像全体が暗くなっていることが分かる。【００８８】
図１８（ｃ）は多重と垂直な方向の角度のずれが有り、多重方向の角度ずれが無い場合の再生像の例である。再生像は明暗の縞となっていることが分かる。図１８（ｃ）の中央の明部は多重と垂直な方向の角度ずれがないときの再生像の中央のみが表れており、隣接する明部が隣接するページの一部が表れている状態となっている。つまり、多重方向の参照光角度に幅を持たせて同時に観測しているものと考えることができる。図１８（ｄ）は多重方向と垂直な角度のずれが有り、多重方向の角度ずれが０．１度有る場合の再生像の例である。図１８（ｃ）と同様に再生像は明暗の縞となっていることが分かる。また、図１８（ｃ）における明部の間に図１８（ｄ）の明部が表れていることが分かる。【００８９】
図１９は多重と垂直な方向の角度ずれが有る場合の、各ブックにおける参照光記録角度、および再生時の再生像を模式的に示す図である。【００９０】
図１９（ａ）は図１（ｂ）と同様に、隣接しているブックにおいて、各ページが半周期ずれた参照光角度で記録されている場合の例である。図１９（ａ）の上図はブックの位置とページが記録されている参照光の角度との関係を示す図であり、隣接しているブックにおいて、各ページが半周期ずれた参照光角度で記録されていることを示す。図１９（ａ）のＡに示すように、多重方向の参照光角度を奇数の番号のブックが記録されている角度に制御し、さらに多重と垂直な方向に角度をずらして再生を行った場合、図１９（ａ）の下図に示すように、奇数の番号のブックの中央位置では再生像の中央に明部が表れ、偶数の番号のブックの中央位置では再生像の中央に暗部が表れる。【００９１】
図１９（ｂ）は図１３と同様に、隣接しているブックにおいて、各ページが１／４周期ずれた参照光角度で記録されている場合の例である。図１９（ｂ）の上図はブックの位置とページが記録されている参照光の角度との関係を示す図であり、隣接しているブックにおいて、各ページが１／４周期ずれた参照光角度で記録されていることを示す。図１９（ｂ）のＡに示すように、多重方向の参照光角度を１ブック目と５ブック目のページ記録されている角度に制御し、さらに多重と垂直な方向に角度をずらして再生を行った場合、図１９（ａ）の下図に示すように、１ブック目の中央位置では再生像の中央に明部が表れ、３ブック目の中央位置では再生像の中央に暗部が表れる。【００９２】
記録時の参照光角度と再生時に再生像が得られる参照光角度とは必ずしも一致しない。これは記録後のポストキュアによる記録材料の収縮の影響や、記録時と再生時の温度変化の影響により記録されているホログラムの干渉縞の角度が変化することが原因の一つである。また、記録する装置と再生する装置が異なる場合には、装置間互換の問題で角度にずれが生じる可能性もある。再生時の最初にブックにアクセスする段階では再生するための適切な参照光角度が分かっていないため、目標とする参照光角度になっている保証がない。このため、実施例１や実施例２の方法でブックへのアクセスを行った場合に、参照光角度が適切ではなく、意図している再生光量が取得できない可能性がある。【００９３】
図１９（ａ）のような記録再生を行った場合、適切な参照光角度が分かっていなくても、再生像から明部と暗部の領域を検出し、再生像の明部と暗部の領域の少なくとも一部の光量を検出することで実施例１に示したブックへのアクセスが可能となる。また、図１９（ｂ）のような記録再生を行った場合、適切な参照光角度が分かっていなくても、再生像から明部と暗部の領域を検出し、再生像の明部と暗部の領域の少なくとも一部の光量を検出してエラー信号を生成することで実施例２に示したブックへのアクセスが可能となる。また、この場合には実施例２で必要となった参照光角度を交互に切り替える動作は不要となる。【００９４】
図２１に再生像の明部と暗部を検出する方法の一例を示す。まず、再生像をローパスフィルタに通して明暗の画像とする。次に、再生像の多重方向位置について微分すると、微分値が０となる付近を明部の中央位置または暗部の中央位置として検出することができる。図２１では微分値が０で傾きが負のとき明部の中央の位置が得られ、微分値が０で傾きが正のとき暗部の中央の位置が得られる例を示している。【００９５】
図２０は目標のブックへの位置付けを行うフローを示す図である。【００９６】
まず、ディスク回転モータ制御回路８８を制御して回転モータ５０を駆動し、光情報記録媒体１の回転角度が基準角度となるように制御する（２００１）。【００９７】
次に参照光の多重と垂直な方向の角度に傾きを付け（２００２）、目標となるアドレス情報から目標とするブックの光情報記録媒体における半径位置と回転角度を計算する。（２００３）。計算した半径位置の情報を基に、アクセス制御回路８１を制御してピックアップ１１を光情報記録媒体１の半径方向に駆動するとともに、参照光を光情報記録媒体１に照射し、再生光量を光検出器３２５で検出しながら、半径方向のブック位置付けを行う（２００４）。次に２００３で計算した回転角度の情報を基に、ディスク回転モータ制御回路８８を制御して回転モータ５０を駆動するとともに、参照光を光情報記録媒体１に照射し、再生光量を光検出器３２５で検出しながら、回転方向のブック位置付けを行う（２００５）。【００９８】
次に多重と垂直な方向の傾きを無くし（２００６）、ページデータを再生し、ヘッダ情報等からアドレスを確認する（２００７）。アドレス情報から目標とするブックに位置付けができていることが確認できれば、ブックへのアクセスを終了し、目標とするブックに位置付けてきていなければ、再度２００２の処理に戻り、ブックの位置付けを行う。【００９９】
なお、２００７でページデータを再生した際に、ページの信号品質が悪い場合には、信号品質が高くなるようにブック位置の微調整を行っても構わない。【０１００】
なお、処理の高速化のために、光検出器３２５の検出領域を制限して検出しても構わないし、光検出器３２５とは別に高速な光検出器を設けて光量の検出を用いても構わない。【０１０１】
以上の第３の実施例によれば、再生するための適切な参照光角度が分かっていない場合でも、多重と垂直な方向に参照光角度をずらすことにより、ブックへの位置付けを行うことが可能であり、使い勝手の良い光情報記録再生装置を提供することができる。
【実施例４】
【０１０２】
本発明の第４の実施例を添付図面にしたがって説明する。光情報記録再生装置の構成は第１の実施例と同様であるため説明を省略する。【０１０３】
図５はピックアップ１１の構成の一例を示した図である。図５において、光源５０１を出射した光ビームはコリメートレンズ５０２を透過し、シャッタ５０３に入射する。シャッタ５０３が開いている時は、光ビームはシャッタ５０３を通過した後、例えば１／２波長板などで構成される光学素子５０４によってｐ偏光とｓ偏光の光量比が所望の比になるように偏光方向を制御された後、偏光ビームスプリッタ５０５に入射する。【０１０４】
偏光ビームスプリッタ５０５を透過した光ビームは、偏光ビームスプリッタ５０７を経由して空間光変調器５０８に入射する。空間光変調器５０８によって情報を付加された信号光５０６は偏光ビームスプリッタ５０７を反射し、所定の入射角度の光ビームのみを通過させるアングルフィルタ５０９を伝播する。その後、信号光ビームは対物レンズ５１０によって光情報記録媒体１に集光する。【０１０５】
一方、偏光ビームスプリッタ５０５を反射した光ビームは参照光５１２として働き、偏光方向変換素子５１９によって記録時又は再生時に応じて所定の偏光方向に設定された後、ミラー５１３、角度制御素子５２２、ならびにミラー５１４を経由してレンズ５１５に入射する。レンズ５１５は参照光５１２を対物レンズ５１０のバックフォーカス面に集光させる役割を果たしており、対物レンズ５１０のバックフォーカス面にて一度集光した参照光は、対物レンズ５１０によって再度、平行光となって光情報記録媒体１に入射する。【０１０６】
ここで、対物レンズ５１０又は光学ブロック５２１は、例えば符号５２０に示す方向に駆動可能であり、対物レンズ５１０又は光学ブロック５２１の位置を駆動方向５２０に沿ってずらすことにより、対物レンズ５１０と対物レンズ５１０のバックフォーカス面における集光点の相対位置関係が変化するため、光情報記録媒体１に入射する参照光の入射角度を所望の角度に設定することができる。なお、対物レンズ５１０又は光学ブロック５２１を駆動する代わりに、ミラー５１４をアクチュエータにより駆動することで参照光の入射角度を所望の角度に設定しても構わない。【０１０７】
角度制御素子５２２は駆動方向５２０と垂直な方向に角度を制御可能な素子であり、例えば液晶素子により構成することができる。ただし、ガルバノミラーやデフォーマブルミラー等を用いて制御しても構わないし、再生用参照光光学系１２の中に同様の機構を持たせても構わない。【０１０８】
このように、信号光と参照光を光情報記録媒体１において、互いに重ね合うように入射させることで、記録媒体内には干渉縞パターンが形成され、このパターンを記録媒体に書き込むことで情報を記録する。また対物レンズ５１０又は光学ブロック５２１の位置を駆動方向５２０に沿ってずらすことによって、光情報記録媒体１に入射する参照光の入射角度を変化させることができるため、角度多重による記録が可能である。【０１０９】
記録した情報を再生する場合は、前述したように参照光を光情報記録媒体１に入射し、光情報記録媒体１を透過した光ビームをガルバノミラー５１６にて反射させることで、その再生用参照光を生成する。この再生用参照光によって再生された再生光は、対物レンズ５１０、アングルフィルタ５０９を伝播する。その後、再生光は偏光ビームスプリッタ５０７を透過して光検出器５１８に入射し、記録した信号を再生することができる。【０１１０】
図５で示した信号光と参照光とを同一の対物レンズに入射させる光学系を用いた場合でも、実施例１、２、３で示したいずれのブックへの位置付け方法も実現可能である。【０１１１】
以上の第４の実施例によれば、信号光と参照光を同一の対物レンズに入射させる構成とすることで、図４で示した光学系構成に比して、大幅に小型化できる利点を有した光情報記録再生装置を提供することができる。
【実施例５】
【０１１２】
本発明の第５の実施例を添付図面にしたがって説明する。光情報記録再生装置の構成は第１の実施例と同様であるため説明を省略する。【０１１３】
図１０は、反射層を有する光情報記録媒体の層構造を示す図である。（１）は光情報記録媒体へ情報を記録している状態を示し、（２）は光情報記録媒体から情報を再生している状態を示している。【０１１４】
光情報記録媒体１は、光ピックアップ１１側から、透明カバー層１０００、記録層１００２、光吸収/光透過層１００６、光反射層１０１０、そして第３透明保護層１０１２と、を備えている。参照光１０Ａと信号光１０Ｂとの干渉パターンは、記録層１００２に記録される。【０１１５】
光吸収／光透過層１００６は、情報記録時には参照光１０Ａと信号光１０Ｂとを吸収し、情報再生時には参照光を透過するように物性が変換する。例えば、光記録媒体１に電圧を印加することによって光吸収／光透過層１００６の着色、消色状態が変化し、すなわち、情報記録時には光吸収／光透過層１００６は着色状態となって、記録層１００２を通過した参照光１０Ａと信号光１０Ｂとを吸収し、情報再生時には消色状態になって参照光を透過させる。光吸収／光透過層１００６を通過した参照光１０Ａは光反射層１０１０で反射されて再生用参照光１０Ｃとなる。【０１１６】
また、エレクトロクロミック（ＥＣ）材料としてのＷＯ３を光吸収／光透過層１００６に用いることができる。【０１１７】
この材料に電圧を加えることにより可逆的に着色、消色を生じさせ、情報記録時には着色させて光を吸収し、情報再生時には消色させて光を透過させる。【０１１８】
図１０で示した光情報記録媒体は、図３および図５で示したピックアップにおいて再生用参照光光学系を省略して用いることができる。【０１１９】
図１０で示した光情報記録媒体を用いた場合でも、実施例１、２、３で示したいずれのブックへの位置付け方法も実現可能である。【０１２０】
以上の第５の実施例によれば、再生用参照光が不要となり、小型の光情報記録再生装置を提供することができる。
【実施例６】
【０１２１】
本発明の第６の実施例を添付図面にしたがって説明する。光情報記録再生装置の構成は第１の実施例と同様であるため説明を省略する。【０１２２】
図２２は目標のブックへの位置付けを行うフローを示す図である。【０１２３】
まず、ディスク回転モータ制御回路８８を制御して回転モータ５０を駆動し、光情報記録媒体１の回転角度が基準角度となるように制御する（２２０１）。【０１２４】
次に参照光の多重と垂直な方向の角度に傾きを付け（２２０２）、目標となるアドレス情報から目標とするブックの光情報記録媒体における半径位置と回転角度を計算する。（２２０３）。計算した半径位置の情報を基に、アクセス制御回路８１を制御してピックアップ１１を光情報記録媒体１の半径方向に駆動するとともに、参照光を光情報記録媒体１に照射し、再生光量を光検出器３２５で検出しながら、半径方向のブック位置付けを行う（２２０４）。次に２２０３で計算した回転角度の情報を基に、ディスク回転モータ制御回路８８を制御して回転モータ５０を駆動するとともに、参照光を光情報記録媒体１に照射し、再生光量を光検出器３２５で検出しながら、回転方向のブック位置付けを行う（２２０５）。【０１２５】
次に多重と垂直な方向の傾きを無くし（２２０６）、アクセス制御回路８１を制御してピックアップ１１を光情報記録媒体１の半径方向に駆動するとともに、参照光を光情報記録媒体１に照射し、再生光量を光検出器３２５で検出しながら、半径方向のブック位置付けを行う（２２０７）。次にディスク回転モータ制御回路８８を制御して回転モータ５０を駆動するとともに、参照光を光情報記録媒体１に照射し、再生光量を光検出器３２５で検出しながら、回転方向のブック位置付けを行う（２２０８）。【０１２６】
次にページデータを再生し、ヘッダ情報等からアドレスを確認する（２２０９）。アドレス情報から目標とするブックに位置付けができていることが確認できれば、ブックへのアクセスを終了し、目標とするブックに位置付けてきていなければ、再度２２０２の処理に戻り、ブックの位置付けを行う。【０１２７】
以上の第６の実施例によれば、実施例３と同様に再生するための適切な参照光角度が分かっていない場合でも、多重と垂直な方向に参照光角度をずらすことにより、ブックへの位置付けを行うことが可能であり、なおかつ、その後、多重と垂直な方向の参照光角度ずれを無くすことにより、参照光角度が多重と垂直な方向にずれている場合よりも強い再生光量を基にブックの位置付けを行えるため、高精度な位置付けが可能となる。【０１２８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成に他の実施例の構成を加えることも可能である。また、各実施例の構成の一部について、他の構成の追加・削除・置換をすることが可能である。【０１２９】
また、上記の各構成、機能、処理部、処理手段等は、それらの一部又は全部を、例えば集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Ｓｏｌｉｄ  Ｓｔａｔｅ  Ｄｒｉｖｅ）等の記録装置、または、ＩＣカード、ＳＤカード、ＤＶＤ等の記録媒体に置くことができる。【０１３０】
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【０１３１】
１・・・光情報記録媒体、１０・・・光情報記録再生装置、１１・・・ピックアップ、
１２・・・再生用参照光光学系、１３・・・ディスクＣｕｒｅ光学系、
１４・・・ディスク回転角度検出用光学系、８１・・・アクセス制御回路、
８２・・・光源駆動回路、８３・・・サーボ信号生成回路、
８４・・・サーボ制御回路、８５・・・信号処理回路、８６・・・信号生成回路、
８７・・・シャッタ制御回路、８８・・・ディスク回転モータ制御回路、
８９・・・コントローラ、９０…入出力制御回路、９１…外部制御装置、
３０１・・・光源、３０３・・・シャッタ、３０６・・・信号光、３０７・・・参照光、
３０８・・・ビームエキスパンダ、３０９・・フェーズ（位相）マスク、
３１０・・・リレーレンズ、３１１・・・ＰＢＳプリズム、
３１２・・・空間光変調器、３１３・・・リレーレンズ、３１４・・・空間フィルタ、
３１５・・・対物レンズ、３１６・・・偏光方向変換素子、３２０・・・アクチュエータ、
３２１・・・レンズ、３２２・・・レンズ、３２３・・・アクチュエータ、
３２４・・・ミラー、３２５・・・光検出器、３２６…角度制御素子
５０１・・・光源、５０２・・・コリメートレンズ、５０３・・・シャッタ、５０４・・・光学素子、
５０５・・・ＰＢＳプリズム、５０６・・・信号光、５０７・・・ＰＢＳプリズム、５０８・・・空間光変調器、
５０９・・・アングルフィルタ、５１０・・・対物レンズ、５１１・・・対物レンズアクチュエータ、
５１２・・・参照光、５１３・・・ミラー、５１４・・・ミラー、５１５・・・レンズ、
５１６・・・ガルバノミラー、５１７・・・アクチュエータ、５１８・・・光検出器、
５１９・・・偏光方向変換素子、５２０・・・駆動方向、５２１・・・光学ブロック
【図１】
0005868494.tif 000002
【図２】
0005868494.tif 000003
【図３】
0005868494.tif 000004
【図４】
0005868494.tif 000005
【図５】
0005868494.tif 000006
【図６】
0005868494.tif 000007
【図７】
0005868494.tif 000008
【図８】
0005868494.tif 000009
【図９】
0005868494.tif 000010
【図１０】
0005868494.tif 000011
【図１１】
0005868494.tif 000012
【図１２】
0005868494.tif 000013
【図１３】
0005868494.tif 000014
【図１４】
0005868494.tif 000015
【図１５】
0005868494.tif 000016
【図１６】
0005868494.tif 000017
【図１７】
0005868494.tif 000018
【図１８】
0005868494.tif 000019
【図１９】
0005868494.tif 000020
【図２０】
0005868494.tif 000021
【図２１】
0005868494.tif 000022
【図２２】
0005868494.tif 000023
【図２３】
0005868494.tif 000024